【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
導出を許容する表示結果組合せを決定する事前決定手段と、
表示結果組合せを導出させる制御を行う導出制御手段と、
導出された表示結果組合せに応じて入賞が発生したか否かの入賞判定を行う入賞判定手段と、
演出を実行する演出手段と、
特典の付与を決定する特典決定手段とを備え、
前記演出手段によって実行される演出には、第１演出と第２演出とが含まれ、
複数の前記可変表示部を跨がる複数のラインには、前記入賞判定が行われる入賞ラインと、当該入賞ラインとは異なるラインであって当該入賞ラインを跨がる非入賞ラインとが含まれ、
前記導出制御手段は、前記事前決定手段の決定結果が特定決定結果であるときに、特定表示結果組合せを導出させることが可能であり、
前記特定表示結果組合せが導出されたときには、前記入賞ライン上に所定識別情報および特定識別情報が配置されるとともに、前記非入賞ライン上に前記所定識別情報のみが並んで配置され、
前記特典決定手段は、前記事前決定手段の決定結果が前記特定決定結果であるときに、
前記特典の付与を決定可能であり、
前記スロットマシンは、
前記事前決定手段の決定結果が前記特定決定結果でありかつ前記特典の付与が決定されているときには、前記第１演出および前記第２演出のうちのいずれも実行可能であり、
前記事前決定手段の決定結果が前記特定決定結果でありかつ前記特典の付与が決定されていないときには、前記第１演出を実行可能である一方で前記第２演出を実行不可能で
あり、
前記第１演出は、前記所定識別情報に対応する色を示唆する演出であり、
前記第２演出は、前記特定識別情報に対応する色を示唆する演出であり、
前記演出手段は、前記可変表示部の変動表示が停止して入賞が発生しなかったときに、前記第１演出及び前記第２演出を終了する、スロットマシン。
【請求項２】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
導出を許容する表示結果組合せを決定する事前決定手段と、
表示結果組合せを導出させる制御を行う導出制御手段と、
導出された表示結果組合せに応じて入賞が発生したか否かの入賞判定を行う入賞判定手段と、
演出を実行する演出手段と、
特典の付与を決定する特典決定手段とを備え、
前記演出手段によって実行される演出には、第１演出と第２演出とが含まれ、
複数の前記可変表示部を跨がる複数のラインには、前記入賞判定が行われる入賞ラインと、当該入賞ラインとは異なるラインであって当該入賞ラインを跨がる非入賞ラインとが含まれ、
前記導出制御手段は、前記事前決定手段の決定結果が特定決定結果であるときに、特定表示結果組合せを導出させることが可能であり、
前記特定表示結果組合せが導出されたときには、前記入賞ライン上に所定識別情報および特定識別情報が配置されるとともに、前記非入賞ライン上に前記所定識別情報のみが並んで配置され、
前記特典決定手段は、前記事前決定手段の決定結果が前記特定決定結果であるときに、前記特典の付与を決定可能であり、
前記スロットマシンは、
前記事前決定手段の決定結果が前記特定決定結果でありかつ前記特典の付与が決定されているときには、前記第１演出および前記第２演出のうちのいずれも実行可能であり、
前記事前決定手段の決定結果が前記特定決定結果でありかつ前記特典の付与が決定されていないときには、前記第１演出を実行可能である一方で前記第２演出を実行不可能であり、
前記第１演出は、前記所定識別情報に対応するキャラクタを示唆する演出であり、
前記第２演出は、前記特定識別情報に対応するキャラクタを示唆する演出であり、
前記演出手段は、前記可変表示部の変動表示が停止して入賞が発生しなかったときに、前記第１演出及び前記第２演出を終了する、スロットマシン。
【手続補正２】
【補正対象書類名】明細書
【補正対象項目名】０００８
【補正方法】変更
【補正の内容】
【０００８】
（Ａ）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
導出を許容する表示結果組合せを決定する事前決定手段と、
表示結果組合せを導出させる制御を行う導出制御手段と、
導出された表示結果組合せに応じて入賞が発生したか否かの入賞判定を行う入賞判定手段と、
演出を実行する演出手段と、
特典の付与を決定する特典決定手段とを備え、
前記演出手段によって実行される演出には、第１演出と第２演出とが含まれ、
複数の前記可変表示部を跨がる複数のラインには、前記入賞判定が行われる入賞ラインと、当該入賞ラインとは異なるラインであって当該入賞ラインを跨がる非入賞ラインとが含まれ、
前記導出制御手段は、前記事前決定手段の決定結果が特定決定結果であるときに、特定表示結果組合せを導出させることが可能であり、
前記特定表示結果組合せが導出されたときには、前記入賞ライン上に所定識別情報および特定識別情報が配置されるとともに、前記非入賞ライン上に前記所定識別情報のみが並んで配置され、
前記特典決定手段は、前記事前決定手段の決定結果が前記特定決定結果であるときに、
前記特典の付与を決定可能であり、
前記スロットマシンは、
前記事前決定手段の決定結果が前記特定決定結果でありかつ前記特典の付与が決定されているときには、前記第１演出および前記第２演出のうちのいずれも実行可能であり、
前記事前決定手段の決定結果が前記特定決定結果でありかつ前記特典の付与が決定されていないときには、前記第１演出を実行可能である一方で前記第２演出を実行不可能で
あり、
前記第１演出は、前記所定識別情報に対応する色を示唆する演出であり、
前記第２演出は、前記特定識別情報に対応する色を示唆する演出であり、
前記演出手段は、前記可変表示部の変動表示が停止して入賞が発生しなかったときに、前記第１演出及び前記第２演出を終了する。
（１）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシン（たとえば、スロットマシン１）において、
特定入賞（たとえば、右下がりスイカ）を含む複数種類の入賞について発生を許容するか否かを決定する事前決定手段（たとえば、図１８のＳ２）と、
前記事前決定手段の決定結果に基づいて、表示結果を導出させる制御を行う導出制御手段（たとえば、図１８のＳ３）と、
表示結果が導出されたときに入賞が発生したか否かの入賞判定を行う入賞判定手段（たとえば、図１８のＳ４）と、
演出を制御するための演出制御を行う演出制御手段（たとえば、サブ制御部９１による処理）とを備え、
遊技者が表示結果を視認可能な領域（たとえば、透過領域５１ｂ）には、入賞判定が行われる入賞判定位置（たとえば、入賞ラインＬＮ上の位置）に対応する判定領域と、前記入賞判定位置ではない非入賞判定位置（たとえば、無効ラインＬＭ１〜４上であって入賞ラインＬＮ上と重複していない位置）に対応する非判定領域とが定められており、
前記入賞判定手段は、導出された表示結果に含まれる識別情報のうち前記入賞判定位置における識別情報の組合せが所定識別情報（たとえば、スイカ）と特定識別情報（たとえば、ベル）とを含む特定組合せ（たとえば、ベル・スイカ・黒７／白７）となったときに、前記特定入賞が発生したと判定し（たとえば、図８参照）、
前記演出制御手段は、前記特定入賞の発生が許容されたときに、第１演出（指標図柄で告知する告知演出）と、第１演出よりも遊技者にとっての有利度が高いことを示唆する第２演出（特定入賞図柄で告知する告知演出）とのうちいずれかを実行可能であり、
前記第１演出は、前記所定識別情報に対応する色を示唆する演出であり、
前記第２演出は、前記特定識別情報に対応する色を示唆する演出である（変形例の［示唆態様について］欄参照）。
【手続補正３】
【補正対象書類名】明細書
【補正対象項目名】００１１
【補正方法】変更
【補正の内容】
【００１１】
（Ｂ）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
導出を許容する表示結果組合せを決定する事前決定手段と、
表示結果組合せを導出させる制御を行う導出制御手段と、
導出された表示結果組合せに応じて入賞が発生したか否かの入賞判定を行う入賞判定手段と、
演出を実行する演出手段と、
特典の付与を決定する特典決定手段とを備え、
前記演出手段によって実行される演出には、第１演出と第２演出とが含まれ、
複数の前記可変表示部を跨がる複数のラインには、前記入賞判定が行われる入賞ラインと、当該入賞ラインとは異なるラインであって当該入賞ラインを跨がる非入賞ラインとが含まれ、
前記導出制御手段は、前記事前決定手段の決定結果が特定決定結果であるときに、特定表示結果組合せを導出させることが可能であり、
前記特定表示結果組合せが導出されたときには、前記入賞ライン上に所定識別情報および特定識別情報が配置されるとともに、前記非入賞ライン上に前記所定識別情報のみが並んで配置され、
前記特典決定手段は、前記事前決定手段の決定結果が前記特定決定結果であるときに、前記特典の付与を決定可能であり、
前記スロットマシンは、
前記事前決定手段の決定結果が前記特定決定結果でありかつ前記特典の付与が決定されているときには、前記第１演出および前記第２演出のうちのいずれも実行可能であり、
前記事前決定手段の決定結果が前記特定決定結果でありかつ前記特典の付与が決定されていないときには、前記第１演出を実行可能である一方で前記第２演出を実行不可能であり、
前記第１演出は、前記所定識別情報に対応するキャラクタを示唆する演出であり、
前記第２演出は、前記特定識別情報に対応するキャラクタを示唆する演出であり、
前記演出手段は、前記可変表示部の変動表示が停止して入賞が発生しなかったときに、前記第１演出及び前記第２演出を終了する。
（２）  各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシン（たとえば、スロットマシン１）において、
特定入賞（たとえば、右下がりスイカ）を含む複数種類の入賞について発生を許容するか否かを決定する事前決定手段（たとえば、図１８のＳ２）と、
前記事前決定手段の決定結果に基づいて、表示結果を導出させる制御を行う導出制御手段（たとえば、図１８のＳ３）と、
表示結果が導出されたときに入賞が発生したか否かの入賞判定を行う入賞判定手段（たとえば、図１８のＳ４）と、
演出を制御するための演出制御を行う演出制御手段（たとえば、サブ制御部９１による処理）とを備え、
遊技者が表示結果を視認可能な領域（たとえば、透過領域５１ｂ）には、入賞判定が行われる入賞判定位置（たとえば、入賞ラインＬＮ上の位置）に対応する判定領域と、前記入賞判定位置ではない非入賞判定位置（たとえば、無効ラインＬＭ１〜４上であって入賞ラインＬＮ上と重複していない位置）に対応する非判定領域とが定められており、
前記入賞判定手段は、導出された表示結果に含まれる識別情報のうち前記入賞判定位置における識別情報の組合せが所定識別情報（たとえば、スイカ）と特定識別情報（たとえば、ベル）とを含む特定組合せ（たとえば、ベル・スイカ・黒７／白７）となったときに、前記特定入賞が発生したと判定し（たとえば、図８参照）、
前記演出制御手段は、前記特定入賞の発生が許容されたときに、第１演出（指標図柄で告知する告知演出）と、第１演出よりも遊技者にとっての有利度が高いことを示唆する第２演出（特定入賞図柄で告知する告知演出）とのうちいずれかを実行可能であり、
前記第１演出は、前記所定識別情報に対応するキャラクタを示唆する演出であり、
前記第２演出は、前記特定識別情報に対応するキャラクタを示唆する演出である（図３２〜図３９参照）。